(57)【要約】  本発明は、電源コネクタ及びこれを利用した安全帽に関し、前面外側に照明が設けられた安全帽と、安全帽の後面内側に結合される結合支持部と、結合支持部の内側に設けられて電気的に照明に接続されたソケット部と、ソケット部のソケットが露出されるように結合され、プラグの挿入をガイドするガイド部と、ガイド部を介してガイドされソケット部のソケットに挿入されることによって給電するプラグを含み、プラグの後段で外部に突出される脱離防止部を含むプラグ部と、安全帽の後面内側に位置してプラグ部の脱離防止部が挿入される際に広がり、貫通された後には縮まってプラグ部の脱離を防止するプラグ固定部とを含む。本発明は、外部に設けられたバッテリーから電源コネクタを介して受電し照明するため安全帽自体の重さ増加を防止し、大容量バッテリを使用することができるため照明持続時間を延長できる効果がある。
2016525271.tif 000002
【特許請求の範囲】
【請求項１】
ソケット部と、
前記ソケット部のソケットが露出されるように結合され、プラグの挿入をガイドするガイド部と、
前記ガイド部を介してガイドされて前記ソケット部の前記ソケットに挿入されることによって給電する前記プラグを含み、前記プラグの後段で外部に突出される脱離防止部を含むプラグ部と、
前記プラグ部の前記脱離防止部が挿入される際に広がり、貫通された後には縮まって前記プラグ部の脱離を防止するプラグ固定部とを含むことを特徴とする電源コネクタ。
【請求項２】
前記プラグ部は、
前記ソケットに挿入される部分に二つの電極を提供するプラグと、
前記プラグの後段が部分的に挿入されて電線が接続される空間を提供するボディー部と、
前記ボディー部の後段で前記電線を固定するモールディングと、
前記プラグと前記ボディー部との間に位置するように、後段が前記ボディー部に部分的に挿入されると共に前端の終端から外側に突出された係止部と、前記係止部と前記ボディー部との間に設けられて前記プラグ固定部が部分的に挿入される係止溝を有する前記脱離防止部で構成されることを特徴とする請求項１に記載の電源コネクタ。
【請求項３】
前記係止部は、結合方向には傾斜面を提供することを特徴とする請求項２に記載の電源コネクタ。
【請求項４】
前記プラグ固定部は、
筒孔が形成されたボディーと、
前記ボディーでガイド部側に突出され、複数のスリット溝が設けられて前記脱離防止部が挿入される時は広がり、前記脱離防止部が貫通された状態で前記係止溝に終端が挿入されて、前記係止部が掛かって脱離が防止されるようにする固定部で構成されることを特徴とする請求項３に記載の電源コネクタ。
【請求項５】
前記ガイド部は、
前記ソケットと連通される接続孔を提供し、
前記接続孔の周辺で前記プラグの挿入をガイドし、各々ガイド長さを相異なるようにして前記プラグが容易に挿入されるようにする第１及び第２のガイドを含むことを特徴とする請求項１に記載の電源コネクタ。
【請求項６】
別途のバッテリから受電するための請求項１乃至請求項５のうち何れか一項に記載の電源コネクタと、前記電源コネクタを介して前記バッテリから受電し動作する少なくとも一つ以上の駆動部とを含むことを特徴とする安全帽。
【請求項７】
前記駆動部は、ＬＥＤ照明を含むことを特徴とする請求項６に記載の安全帽。
【請求項８】
前記駆動部は、通信装置を含むことを特徴とする請求項６に記載の安全帽。
【発明の詳細な説明】
【技術分野】
【０００１】
本発明は、電源コネクタ及び当該電源コネクタを用いる安全帽に関し、より詳細には脱離が防止される電源コネクタと大容量バッテリとを接続して照明持続時間を延長させることができる安全帽に関する。
【背景技術】
【０００２】
一般的に建設現場、造船所、鉱山などの産業現場を出入する人は、必ず安全帽を着用するように法制化されており、地震の発生が頻繁な日本では、学校、地下鉄の駅舎などに適正な数量の安全帽を備えている。
【０００３】
このような安全帽には、火災や地震などの災難時に対備して暗い所でも視野を確保できるように、安全帽の着用時に前方を照明する照明が設置されている。
【０００４】
これは、災難の発生時に建物や鉱山内部への給電が遮断されて照明されない環境で待避路を探して待避できるようにするためである。
【０００５】
また、平常にも暗い所で作業をする作業者のために安全帽に照明が装着されるものがある。このように安全帽に照明が付加された場合には、照明に給電するためのバッテリが必須となる。
【０００６】
このように照明に給電するための従来の技術としては、特許文献１、及び、照明ではないが送風ファンの駆動のために安全帽の内部にバッテリが収容される特許文献２がある。
【０００７】
上記のような従来の技術は、安全帽にバッテリを装着して使用することであり、安全帽が人の頭に着用することであることを勘案すると、重さが増加するため、多様な問題点が発生しやすいことが容易に予測される。
【０００８】
重さの増加により安全帽を着用した作業者が作業するにあたり不便を感じ、災難発生時の待避に相対的に困難なことがある。これを考慮して、バッテリの重さを減らす場合、照明の持続時間が短くなって実効性がなくなる問題点が予想される。
【０００９】
このために、バッテリを腰など、安全帽とは分離された他の位置に装着し、バッテリと安全帽を電線で接続する場合には、作業時に電線が掛かって不便であり、バッテリと安全帽を接続する電線が掛かってよく脱離される問題点が予想される。
【先行技術文献】
【特許文献】
【００１０】
【特許文献１】韓国公開実用新案２０−２０１３−０００３４１４号公報
【特許文献２】韓国登録特許１０−１２２８５１７号公報
【発明の概要】
【発明が解決しようとする課題】
【００１１】
上記のような問題点を勘案した本発明が解決しようとする技術的課題は、外部の電源を誰でも容易に接続でき、外部から大容量バッテリの電力を安全帽に供給するための電線が使用者や周辺の事物にかかる場合にもその電線が脱離されることを防止できる電源コネクタを提供することにある。
【００１２】
また、本発明が解決しようとする技術的課題は、装着された照明の持続時間を増加させると共に安全帽の重さ増加を防止し、電力供給の安全性を確保できる電源コネクタを用いる安全帽を提供することにある。
【課題を解決するための手段】
【００１３】
上記のような課題を解決するための本発明電源コネクタは、ソケット部と、ソケット部のソケットが露出されるように結合され、プラグの挿入をガイドするガイド部と、ガイド部を介して案内されソケット部のソケットに挿入されることによって給電するプラグを含み、プラグの後段で外部に突出される脱離防止部を含むプラグ部と、プラグ部の脱離防止部が挿入される際に広がり、貫通された後には縮まってプラグ部の脱離を防止するプラグ固定部とを含む。
【００１４】
また、本発明電源コネクタを用いる安全帽は、前面外側に照明が設けられた安全帽と、安全帽の後面内側に結合される結合支持部と、結合支持部の内側に設けられて電気的に照明に接続されたソケット部と、ソケット部のソケットが露出されるように結合され、プラグの挿入をガイドするガイド部と、ガイド部を介してガイドされソケット部のソケットに挿入されることによって給電するプラグを含み、プラグの後段で外部に突出される脱離防止部を含むプラグ部と、安全帽の後面内側に位置してプラグ部の脱離防止部が挿入される際に広がり、貫通された後には縮まってプラグ部の脱離を防止するプラグ固定部とを含む。
【発明の効果】
【００１５】
本発明電源コネクタは、相互結合されてバッテリから給電可能とされるソケット部及びプラグ部と、ソケット部の外側に結合されてプラグ部の挿入をガイドするガイド部と、脱離方向にはプラグ部の脱離を防止できるプラグ固定部を含めてソケット部とプラグ部が容易に結合されて外部バッテリの電力を容易に供給でき、ソケット部とプラグ部が脱離されやすいことを防止できる効果がある。
【００１６】
また、本発明の電源コネクタを用いる安全帽は、外部に設けられたバッテリから電源コネクタを介して受電することによって照明できるため、安全帽自体の重さ増加を防止し、大容量バッテリを使用できるため照明持続時間を延長できる効果がある。
【図面の簡単な説明】
【００１７】
【図１】本発明の好ましい実施形態における電源コネクタを用いる安全帽の分解図である。
【図２】図１における電源コネクタの断面図である。
【図３】図１におけるソケット部の断面図である。
【図４】図１におけるガイド部の断面図である。
【図５】ガイド部を下方から見た斜視図である。
【図６】プラグ部の部分断面図である。
【図７】図１におけるプラグ固定部の詳細図である。
【発明を実施するための形態】
【００１８】
本発明の電源コネクタ及び当該電源コネクタを用いる安全帽について、添付図面を参照しつつ、以下に詳述する。
【００１９】
図１は、本発明の好ましい実施形態における電源コネクタを用いる安全帽の分解図であり、図２は、図１における電源コネクタの分解断面図である。
【００２０】
図１及び図２を各々参照すれば、本発明の好ましい実施形態における電源コネクタを用いる安全帽は、前面部に照明が設けられた安全帽１００と、安全帽１００に結合される結合支持部２００と、バッテリ６００からの電力を供給するためのコイル形電線５１０の終端に設けられたプラグ部５００と、結合支持部２００に設けられるソケット部３００であって、プラグ部５００に結合されてバッテリ６００から受電し、安全帽１００の照明に給電するソケット部３００と、ソケット部３００に結合されるガイド部４００であって、ソケット部３００へのプラグ部５００の挿入をガイドするガイド部４００と、ガイド部４００とは所定距離離隔されて、プラグ部５００がソケット部３００に結合された状態で容易に脱離されないように固定するプラグ固定部７００とを含んで構成されている。
【００２１】
上記の通りに構成された本発明の好ましい実施形態における電源コネクタ及び当該電源コネクタを用いる安全帽の構成及び作用について、以下に詳述する。
【００２２】
まず、安全帽１００は、樹脂材などとして使用者が頭に着用できる一般的な形態であり、図面には省略したがその安全帽１００の前面部には照明が設けられたものとする。
【００２３】
このように本発明における安全帽１００は、前面部にＬＥＤや電球を使用する照明が設置されたものであれば、その材質や形態に関係なく適用可能とされる。
【００２４】
安全帽１００の後面部内側には結合支持部２００が固定設置される。結合支持部２００の形状は、その結合支持部２００により固定されるソケット部３００が安全帽１００から脱離されないように堅固に支持する構造であればその形状に関係なく、多様に変更して実施可能とされる。
【００２５】
図３は、ソケット部３００の断面構成図である。
【００２６】
図３を参照すれば、ソケット部３００は、安全帽１００の照明に接続される電線(図示せず）が接続される基板３１０と、基板３１０に実装され、プラグ部４００の終端が部分的に挿入されるソケット３２０とが設けられたものであり、結合支持部２００の内側に固定設置されることができる。
【００２７】
ソケット３２０の内側には二つの電極が設けられており、その電極は基板３１０に延長されて、半田付けなどにより基板３１０と電気的に接続されている。
【００２８】
図４はガイド部４００の断面図であり、図５はガイド部４００を下方から見た斜視図である。
【００２９】
図４及び図５を各々参照すれば、ガイド部４００は、ソケット部３００の下部に結合され、ソケット３２０を露出させる接続孔４１１と下部に設けられて、プラグ部５００が挿入されるプラグ挿入孔４１２を提供するボディー部４１０と、ボディー部４１０の内部に設けられてプラグ部５００の挿入をガイドし、相互ガイド長さを相異なるようにして、プラグ部５００がより円滑にガイドされてソケット３２０に挿入されるようにする第１のガイド４２０及び第２のガイド４３０とを含んで構成されている。
【００３０】
参照符号４１４はプラグ挿入孔４１２を閉じるストッパであり、参照符号４１３はストッパの脱離を防止する接続部である。
【００３１】
以下に詳述するが、プラグ部５００は、終端に電極が設けられたものであり、その電極が設けられたプラグを例えば自然災害や火災の発生のような緊急事態において使用者が手軽に且つ正確にソケット３２０に挿入するようにするためにガイド長さが相異なる第１のガイド４２０及び第２のガイド４３０を使用する。
【００３２】
第１のガイド４２０の長さと第２のガイド４３０の長さとが相異なることによって、プラグ部５００を挿入するための挿入空間が実質的にプラグ部５００の直径に比べてより大きく提供される効果があるので、プラグ部５００を正確に挿入しなくても第１のガイド４２０と第２のガイド４３０によりガイドされてソケット３２０に容易に結合される。
【００３３】
図６は、プラグ部５００の断面構成図である。
【００３４】
図６を参照すれば、プラグ部５００は、終端に二つの電極５２１、５２２が設けられるプラグ５２０と、プラグ５２０の後段が挿入されてコイル形電線５１０がプラグ５２０に接続されることができる空間を提供するボディー部５４０と、ボディー部５４０の後段でコイル形電線５１０とボディー部５４０を共に固定するモールディング部５５０と、ボディー部５４０とプラグ部５２０との間に設けられて後段がボディー部５４０内に挿入され、前端の終端に外側に突出される係止部５３１が設けられた脱離防止部５３０とを含んで構成されている。
【００３５】
脱離防止部５３０の係止部５３１は、ボディー部５４０と離隔されて、そのボディー部５４０との間に係止溝５３２が形成されている。
【００３６】
このような構成において、上述したようにプラグ部５００は、円柱形であり、ガイド部４００の第１のガイド部４２０及び第２のガイド部４３０にガイドされて容易に接続孔４１１と連通されているソケット部３００のソケット３２０に挿入可能である。
【００３７】
この時、脱離防止部５３０は、プラグ固定部７００を貫通して位置し、プラグ固定部７００に脱離防止部５３０の係止部５３１が掛かってプラグ部５００が容易に脱離されることが防止される。
【００３８】
プラグ固定部７００は、安全帽１００の後面内側に固定設置されるか、又はその安全帽１００と一体で成形されたものであり得る。
【００３９】
図７は、プラグ固定部７００の構成図である。
【００４０】
図７を参照すれば、プラグ固定部７００は、安全帽１００の後面内側でガイド部４００と離隔されて位置するボディー７１０と、ボディー７１０でガイド部４００側に突出され、長さ方向に複数切開された切開溝７２１が設けられた固定部７２０とを含んで構成される。
【００４１】
プラグ固定部７００は、プラグ部５００のプラグ５２０がソケット３２０に挿入される時、そのプラグ部５００の脱離防止部５３０がボディー７１０及び固定部７２０を貫通して挿入される。
【００４２】
この時、固定部７２０には切開溝７２１が複数で設けられているため、固定部７２０の内側に脱離防止部５３０が挿入される時、固定部７２０が外側に広がって脱離防止部５３０が容易に貫通挿入される。
【００４３】
また、脱離防止部５３０の係止部５３１は、挿入される方向側に傾斜面を提供しているので、固定部７２０が広がりつつ容易に結合されるようにする。脱離防止部５３０が固定部７２０に貫通挿入されると、固定部７２０の終端は脱離防止部５３０の係止溝５３２に挿入されて位置する。
【００４４】
このように脱離防止部５３０が固定部７２０を貫通して結合された状態で固定部７２０には内側に縮もうとする弾性回復力が作用し、係止部５３１は脱離方向側には固定部７２０の終端に接触される接触面を提供して容易に脱離されないようにする。もちろん、このような固定部７２０と脱離防止部５３０の結合状態は脱離圧力に対する限界があり、その限界以上の力が作用する場合、固定部７２０が広がって、プラグ部５００が脱離されることがある。しかし、通常、干渉により発生する力は脱離圧力限界に達しないので、プラグ部５００が脱離されることを防止できる。
【００４５】
従って、安全帽１００とは別途に位置するバッテリ６００の電力をプラグ部５００を通して安全帽１００に設けられた照明に供給できるようになり、安全帽１００を着用した状態で作業または待避する過程で、プラグ部５００がソケット部３００から脱離されることを防止できる。
【００４６】
本実施形態では、バッテリ６００から受電し発光する照明が安全帽１００に設置されたものを例示して説明したが、これに限定されるものではない。安全帽１００には外部と通信するための、または、他の安全帽と通信するための通信機器がバッテリ６００から受電し動作するように設置されることができ、各種センサ、例えばガスセンサ、Ｇセンサなどが設置されることも可能である。
【００４７】
本発明は、実施形態に限定されなく本発明の技術的要旨を逸脱しない範囲内で多様に修正、変形されて実施できることは本発明が属する技術分野で通常の知識を有するものにとって自明である。
【符号の説明】
【００４８】
１００  安全帽
２００  結合支持部
３００  ソケット部
３１０  基板
３２０  ソケット
４００  ガイド部
４１０  ボディー部
４１１  接続孔
４１２  プラグ挿入孔
４１３  接続部
４１４  ストッパ
４２０  第１のガイド
４３０  第２のガイド
５００  プラグ部
５１０  コイル形電線
５２０  プラグ
５２１  電極
５２２  電極
５３０  脱離防止部
５３１  係止部
５３２  係止溝
５４０  ボディー部
５５０  モールディング部
６００  バッテリ
７００  プラグ固定部
７１０  ボディー
７２０  固定部
７２１  切開溝
【図１】
2016525271.tif 000003
【図２】
2016525271.tif 000004
【図３】
2016525271.tif 000005
【図４】
2016525271.tif 000006
【図５】
2016525271.tif 000007
【図６】
2016525271.tif 000008
【図７】
2016525271.tif 000009
【国際調査報告】
2016525271.tif 000010
2016525271.tif 000011
2016525271.tif 000012
2016525271.tif 000013